(57)【要約】【課題】無駄な空間を少なくして様々な効率性を高めることが可能なレンズ駆動装置を提供すること。【解決手段】レンズ駆動装置１０では、光軸方向からみたとき、駆動コイル１４の外周形状が円形であるのに対して、バックヨーク１６の筒状胴部１６０は、四角形５０の角部を面取りした形状を有しているため、駆動コイル１４の外周面と、バックヨーク１６の筒状胴部１６０の内周面との間には、四角形５０の辺に相当する領域で幅が狭く、四角形５０の角部５１、５２、５３、５４に相当する領域で幅が広くなっている。かかる構造に対応して、４つのマグネット１７をバックヨーク１６の筒状胴部１６０の角部５１、５２、５３、５４の各々において、バックヨーク１６の筒状胴部１６０の内周面に沿うように配置する。【選択図】図３
2008058659.tif 000002
【特許請求の範囲】
【請求項１】
レンズを備えた移動レンズ体と、該移動レンズ体の外周側に巻回された駆動コイルと、前記駆動コイルに鎖交磁界を発生させるためのマグネットと、前記移動レンズ体および前記マグネットの周りを囲むカバー部を備えた固定体とを有するレンズ駆動装置において、
光軸方向からみたとき、前記カバー部の内周形状は非円形であり、
前記マグネットは、前記カバー部の内周面に沿って配置されていることを特徴とするレンズ駆動装置。
【請求項２】
レンズを備えた移動レンズ体と、該移動レンズ体の外周側に巻回された駆動コイルと、前記駆動コイルに鎖交磁界を発生させるためのマグネットと、前記移動レンズ体および前記マグネットの周りを囲むカバー部を備えた固定体とを有するレンズ駆動装置において、
光軸方向からみたとき、前記カバー部の内周形状と前記駆動コイルの外周形状は相違しており、
前記マグネットは前記カバー部の内周面に沿って配置されていることを特徴とするレンズ駆動装置。
【請求項３】
請求項１または２において、前記マグネットは、複数が周方向の複数箇所に離間して配置されていることを特徴とするレンズ駆動装置。
【請求項４】
請求項１ないし３のいずれかにおいて、
前記駆動コイルは環状に巻回され、
前記カバー部の内周形状は、多角形であり、
前記マグネットは、前記カバー部の内周形状の複数の角部分のうち、少なくとも１つの角部分を含む位置に配置されていることを特徴とするレンズ駆動装置。
【請求項５】
請求項１ないし３のいずれかにおいて、
前記駆動コイルは環状に巻回され、
前記カバー部の内周形状は、四角形、あるいは当該四角形の角部分を面取りした多角形であり、
前記マグネットは、前記四角形の角部分に配置されていることを特徴とするレンズ駆動装置。
【請求項６】
請求項１ないし５のいずれかにおいて、
前記カバー部は、バックヨークの筒状胴部であり、
当該バックヨークの前記筒状胴部の内周面に前記マグネットが固着されていることを特徴とするレンズ駆動装置。
【請求項７】
請求項６において、
前記バックヨークは、前記筒状胴部から前記駆動コイルの内側位置まで延びた内ヨーク部を備えていることを特徴とするレンズ駆動装置。
【請求項８】
請求項６において、
前記駆動コイルに対しては、前記マグネットが位置する側と反対側にコイルヨークが配置されていることを特徴とするレンズ駆動装置。
【請求項９】
請求項６ないし８のいずれかにおいて、
前記マグネットは、前記駆動コイルの外周側に配置されていることを特徴とするレンズ駆動装置。
【請求項１０】
請求項９において、
前記マグネットは、内面が前記駆動コイルの外周形状に沿うように配置されていることを特徴とするレンズ駆動装置。
【請求項１１】
請求項９または１０において、
前記マグネットは、内外方向で異なる極に着磁されていることを特徴とするレンズ駆動装置。
【請求項１２】
請求項９または１０において、
前記マグネットは、光軸方向で異なる極に着磁された２つのマグネット片を備え、
当該２つのマグネット片は、同極が接するように光軸方向に重ねて配置されていることを特徴とするレンズ駆動装置。
【請求項１３】
請求項９または１０において、
前記マグネットは、光軸方向に重ねて配置された複数のマグネット片を備えているとともに、前記駆動コイルは、当該複数のマグネット片の各々に対向して光軸方向に複数、配置され、
前記複数のマグネット片は、各々が内外方向で異なる極に着磁され、かつ、光軸方向で隣接するマグネット片同士における内外方向での着磁の向きが逆であることを特徴とするレンズ駆動装置。
【請求項１４】
請求項９または１０において、
前記マグネットは、光軸方向に並ぶ複数の分割着磁領域を備えているとともに、前記駆動コイルは、当該複数の分割着磁領域の各々に対向して光軸方向に複数、配置され、
前記複数の分割着磁領域の各々は、内外方向で異なる極に着磁され、かつ、光軸方向で隣接する着磁領域同士では、内外方向における着磁の向きが逆であることを特徴とするレンズ駆動装置。
【請求項１５】
請求項６ないし１４のいずれかにおいて、
前記固定体は、前記バックヨークの前記筒状胴部に対して光軸方向の撮像素子側に重ねて配置されたベースと、前記バックヨークの前記筒状胴部に対して光軸方向の撮像素子側に重ねて配置されたケースとを備え、
光軸方向からみたとき、前記バックヨーク、前記ベースおよび前記ケースは略同一の外周形状を備えていることを特徴とするレンズ駆動装置。
【請求項１６】
請求項１５において、前記固定体は、前記ケースに対して被写体側で被さる板状カバーを備えていることを特徴とするレンズ駆動装置。
【請求項１７】
請求項１６において、前記板状カバーは、前記ベースに向けて延びて当該ベースに係合する係合脚部が延びていることを特徴とするレンズ駆動装置。
【請求項１８】
請求項１ないし１７のいずれかにおいて、
駆動コイルへの通電の有無にかかわらず、前記移動レンズ体を光軸方向の所定位置に保持する付勢力を発揮可能な付勢部材を備えていることを特徴とするレンズ駆動装置。
【請求項１９】
請求項１８において、
前記付勢部材は、前記移動レンズ体と前記固定体との間に配置されて、前記移動レンズ体に機械的な付勢力を印加するバネ部材を備えていることを特徴とするレンズ駆動装置。
【請求項２０】
請求項１８または１９において、
前記付勢部材は、前記移動レンズ体に配置されて、前記マグネットとの間に発生する磁気的な付勢力を前記移動レンズ体に印加する磁性体を備えていることを特徴とするレンズ駆動装置。
【請求項２１】
請求項２０において、前記移動レンズ体では、搭載可能な前記磁性体の数、および搭載可能な前記磁性体の大きさを変更可能であることを特徴とするレンズ駆動装置。
【請求項２２】
請求項１ないし２１のいずれかにおいて、前記駆動コイルは、前記移動レンズ体に対して直巻きされていることを特徴とするレンズ駆動装置。
【発明の詳細な説明】
【技術分野】
【０００１】
本発明は、レンズを光軸方向に駆動して被写体の像を結像させるレンズ駆動装置に関するものである。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば、特許文献１、２参照）。
【０００４】
特許文献１に開示されたレンズ駆動装置は、レンズを備えた移動レンズ体と、この移動レンズ体をレンズの光軸方向に移動させる磁気駆動部（マグネットとコイルを備えている）と、移動レンズ体および磁気駆動部の全部又は一部を覆うカバー部とから構成されている。そして、レンズ駆動装置の凡そ中心に位置する移動レンズ体が略円筒形状であることから、その周辺を囲む部品（マグネットやコイル）も円環形状（ドーナツ形状）となっている。
【特許文献１】特開２００５−３７８６５号公報（図７）
【特許文献２】特開２００４−１８４７７９号公報
【発明の開示】
【発明が解決しようとする課題】
【０００５】
しかしながら、近年のレンズ駆動装置の外形デザインは位置決め、組立て性を考慮して四角（角柱）形状としているため、上述したようにマグネットやコイルが円環形状では、レンズ駆動装置内の四隅において、無駄な空間が生まれるという欠点があった。すなわち、マグネットやコイルの形状を設計する際には、それらの内周形状をレンズホルダの形状（円筒形状）に沿うような形にする必要がある、との意識のみが先行しているのが実情である。そのため、マグネットやコイルの外周形状も、内周形状と同様に円環形状に形成され、マグネットやコイルと、四角形状に形成されたレンズ駆動装置（カバー部）との間に、無駄な空間が生じてしまっている。
【０００６】
かかる問題点は、移動レンズ体が略角筒形状で、レンズ駆動装置が円柱形状であるなど、移動レンズ体とレンズ駆動装置の形状が相違する場合や、移動レンズ体とレンズ駆動装置の外周形状が同一でも、移動レンズ体の外周面とレンズ駆動装置の外周面との間に幅の狭い部分と広い部分がある場合でも、同様に発生する。
【０００７】
本発明は、以上の問題点に鑑みてなされたものであり、その目的は、無駄な空間を少なくして様々な効率性を高めることが可能なレンズ駆動装置を提供することにある。
【課題を解決するための手段】
【０００８】
上記課題を解決するために、本発明では、レンズを備えた移動レンズ体と、該移動レンズ体の外周側に巻回された駆動コイルと、前記駆動コイルに鎖交磁界を発生させるためのマグネットと、前記移動レンズ体および前記マグネットの周りを囲むカバー部を備えた固定体とを有するレンズ駆動装置において、光軸方向からみたとき、前記カバー部の内周形状は非円形であり、前記マグネットは、前記カバー部の内周面に沿って配置されていることを特徴とする。
【０００９】
本発明では、マグネットの形状をカバー部の内周形状に沿った形状にしたので、カバー部の内周面と駆動コイルの外周面との間をマグネットの配置スペースとして有効利用でき、デッドスペースを縮小できる。また、カバー部の内周面と駆動コイルの外周面との間にマグネットを効率よく充填できるので、マグネットとして体積の大きなものを用いることができる分、駆動コイルに鎖交する磁界を効率よく形成することができる。
【００１０】
本発明の別の形態では、レンズを備えた移動レンズ体と、該移動レンズ体の外周側に巻回された駆動コイルと、前記駆動コイルに鎖交磁界を発生させるためのマグネットと、前記移動レンズ体および前記マグネットの周りを囲むカバー部を備えた固定体とを有するレンズ駆動装置において、光軸方向からみたとき、前記カバー部の内周形状と前記駆動コイルの外周形状は相違しており、前記マグネットは前記カバー部の内周面に沿って配置されていることを特徴とする。
【００１１】
本発明では、マグネットの形状をカバー部の内周形状に沿った形状にしたので、カバー部の内周面と駆動コイルの外周面との間をマグネットの配置スペースとして有効利用でき、デッドスペースを縮小できる。また、カバー部の内周面と駆動コイルの外周面との間にマグネットを効率よく充填できるので、マグネットとして体積の大きなものを用いることができる分、駆動コイルに鎖交する磁界を効率よく形成することができる。
【００１２】
本発明において、前記マグネットは、複数が周方向の複数箇所に離間して配置されている構成を採用することができる。
【００１３】
本発明において、前記駆動コイルは、円環状に巻回され、前記カバー部の内周形状は、多角形である場合、前記マグネットは、前記カバー部の内周形状の複数の角部分のうち、少なくとも１つの角部分を含む位置に配置されていることが好ましい。
【００１４】
本発明において、前記カバー部の内周形状は、四角形、あるいは当該四角形の角部分を面取りした多角形である場合、前記マグネットは、前記四角形の角部分に配置されていることが好ましい。
【００１５】
本発明において、前記カバー部は、バックヨークの筒状胴部であることが好ましく、当該バックヨークの前記筒状胴部の内周面に前記マグネットが固着されていることが好ましい。
【００１６】
本発明において、前記バックヨークは、前記筒状胴部から前記駆動コイルの内側位置まで延びた内ヨーク部を備えていることが好ましい。
【００１７】
本発明において、前記駆動コイルに対しては、前記マグネットが位置する側と反対側にコイルヨークが配置されていることが好ましい。このように構成すると、駆動コイルに鎖交する磁束密度を高めることができる。
【００１８】
本発明において、前記マグネットは、前記駆動コイルの外周側に配置されている構成、および前記駆動コイルに対して光軸方向の一方側に配置されている構成を採用することができる。但し、レンズ駆動装置を薄型化するという観点からすれば、前記マグネットは、前記駆動コイルの外周側に配置されていることが好ましい。
【００１９】
本発明において、前記マグネットが前記駆動コイルの外周側に配置されている場合、前記マグネットは、内外方向で異なる極に着磁されている構成を採用することができる。
【００２０】
本発明において、前記マグネットは、光軸方向で異なる極に着磁された２つのマグネット片を備え、当該２つのマグネット片は、同極が接するように光軸方向に重ねて配置されている構成を採用してもよい。このように構成すると、２つのマグネット片の重なり部分付近では磁力線が高密度に発生するので、駆動コイルに鎖交する磁界を効率よく形成することができる。
【００２１】
本発明において、前記マグネットは、光軸方向に重ねて配置された複数のマグネット片を備えているとともに、前記駆動コイルは、当該複数のマグネット片の各々に対向して光軸方向に複数、配置され、前記複数のマグネット片は、各々が内外方向で異なる極に着磁され、かつ、光軸方向で隣接するマグネット片同士における内外方向での着磁の向きが逆であることが好ましい。このように構成すると、駆動コイルに鎖交する磁束密度を高めることができる。
【００２２】
本発明において、前記マグネットは、光軸方向に並ぶ複数の分割着磁領域を備えているとともに、前記駆動コイルは、当該複数の分割着磁領域の各々に対向して光軸方向に複数、配置され、前記複数の分割着磁領域の各々は、内外方向で異なる極に着磁され、かつ、光軸方向で隣接する着磁領域同士では、内外方向における着磁の向きが逆であることが好ましい。このように構成すると、駆動コイルに鎖交する磁束密度を高めることができる。
【００２３】
本発明において、前記固定体は、前記バックヨークの前記筒状胴部に対して光軸方向の撮像素子側に重ねて配置されたベースと、前記バックヨークの前記筒状胴部に対して光軸方向の撮像素子側に重ねて配置されたケースとを備え、光軸方向からみたとき、前記バックヨーク、前記ベースおよび前記ケースは略同一の外周形状を備えていることが好ましい。
【００２４】
本発明において、前記固定体は、前記ケースに対して被写体側で被さる板状カバーを備えていることが好ましい。このように構成すると、レンズ駆動装置内にゴミなどの異物が侵入することを防止することができる。
【００２５】
本発明において、前記板状カバーは、前記ベースに向けて延びて当該ベースに係合する係合脚部が延びていることが好ましい。
【００２６】
本発明において、駆動コイルへの通電の有無にかかわらず、前記移動レンズ体を光軸方向の所定位置に保持する付勢力を発揮する付勢部材を備えていることが好ましい。
【００２７】
本発明において、前記付勢部材としては、前記移動レンズ体と前記固定体との間に配置されて、前記移動レンズ体に機械的な付勢力を印加するバネ部材を用いることができる。
【００２８】
本発明において、前記付勢部材としては、前記移動レンズ体に配置されて、前記マグネットとの間に磁気的な付勢力を前記移動レンズ体に印加する磁性体を用いてもよい。
【００２９】
本発明において、前記移動レンズ体では、搭載可能な前記磁性体の数、および搭載可能な前記磁性体の大きさを変更可能であることが好ましい。
【００３０】
本発明において、前記駆動コイルは、前記移動レンズ体に対して直巻きされていることが好ましい。このように構成すると、ボビンなどを用いた場合と比較して、駆動コイルが占有するスペースを縮小できる。また、駆動コイルが占有するスペースを同一とした場合、駆動コイルの巻回数を増大させることができる。
【発明の効果】
【００３１】
本発明に係るレンズ駆動装置によれば、マグネットの形状をカバー部の内周形状に沿った形状にしたので、カバー部の内周面と駆動コイルの外周面との間をマグネットの配置スペースとして有効利用でき、デッドスペースを縮小できる。また、カバー部の内周面と駆動コイルの外周面との間にマグネットを効率よく充填できるので、マグネットとして体積の大きなものを用いることができる分、駆動コイルに鎖交する磁界を効率よく形成することができる。それ故、駆動効率や、その他、電流利用効率や省エネ効率を向上することができる。
【発明を実施するための最良の形態】
【００３２】
図面を参照して、本発明を実施するための最良の形態について、説明する。なお、以下に説明するレンズ駆動装置は、カメラ付き携帯電話機の他にも、様々な電子機器に取り付けることが可能である。例えば、ＰＨＳ、ＰＤＡ、バーコードリーダ、薄型のデジタルカメラ、監視カメラ、車の背後確認用カメラ、光学的認証機能を有するドア等に用いることができる。
【００３３】
［実施の形態１］
（全体構成）
図１（ａ）、（ｂ）は各々、本発明の実施の形態１に係るレンズ駆動装置の外観図、および分解斜視図である。図２は、図１に示すレンズ駆動装置をレンズ光軸に沿って切断したときの断面図である。
【００３４】
図１（ａ）、（ｂ）および図２において、本形態のレンズ駆動装置１０は、デジタルカメラやカメラ付き携帯電話機などの薄型カメラにおいて、３枚のレンズ１２１、１２２、１２３をレンズ光軸Ｘに沿って被写体（物体側）に近づくＡ方向（前側）、および被写体とは反対側（像側）に近づくＢ方向（後側）の双方向に移動させるためのものであり、概ね、３枚のレンズ１２１、１２２、１２３および固定絞り１２４を円筒状のレンズホルダ１２上に一体に保持した移動レンズ体３と、この移動レンズ体３をレンズ光軸Ｘに沿って移動させるレンズ駆動機構５と、レンズ駆動機構５および移動レンズ体３が搭載された固定体２とを有している。また、移動レンズ体３は、円筒状のスリーブ１５を備えており、その内側に円筒状のレンズホルダ１２が固着されている。
【００３５】
本形態において、固定体２は、像側で撮像素子（図示せず）を保持するためのベース１９と、被写体側に位置するケース１１とを備えており、ケース１１の中央には、被写体からの反射光をレンズに取り込むための円形の入射窓１１０が形成されている。また、固定体２は、ベース１９とケース１１との間に挟持されたバックヨーク１６を備えており、バックヨーク１６の筒状胴部１６０は、後述するマグネット１７の周りを囲むカバー部として機能するとともに、マグネット１７とともに、駆動コイル１４に鎖交磁界を発生させる鎖交磁界発生体を構成している。
【００３６】
（レンズ駆動機構５の構成）
図３（ａ）、（ｂ）、（ｃ）は、図１に示すレンズ駆動装置のレンズ駆動機構に用いた磁気回路の平面図、縦断面図、およびマグネットの説明図である。図４は、図１に示すレンズ駆動装置でのレンズ駆動動作を示す説明図であり、図４（ａ）には、移動レンズ体が撮像素子側に位置している状態を示し、図４（ｂ）には、移動レンズ体が被写体側に位置している状態を示してある。なお、図３（ｂ）、（ｃ）では、マグネットに対する着磁方向を矢印で示してある。
【００３７】
図１（ｂ）、図２、図３（ａ）、（ｂ）、（ｃ）および図４（ａ）、（ｂ）に示すように、レンズ駆動機構５は、スリーブ１５の外周面に直接、巻回された円環状の駆動コイル１４と、駆動コイル１４に鎖交磁界を発生させる鎖交磁界発生体４とを備え、駆動コイル１４および鎖交磁界発生体４により磁気回路が構成されている。また、レンズ駆動装置１０には、駆動コイル１４に対する給電部（図示せず）が形成されている。
【００３８】
本形態において、鎖交磁界発生体４は、駆動コイル１４の外周側に配置されたマグネット１７と、鋼板などの強磁性板からなるバックヨーク１６とを備えている。バックヨーク１６は、駆動コイル１４の周りを囲む筒状胴部１６０を備えており、その内周面にマグネット１７が固定されている。
【００３９】
バックヨーク１６の筒状胴部１６０は、ベース１９とケース１１との間に挟持された状態にあり、バックヨーク１６の筒状胴部１６０の撮像素子側端部はベース１９に接着固定され、バックヨーク１６の筒状胴部１６０の被写体側端部は、ケース１１に接着固定されている。このようにして、バックヨーク１６の筒状胴部１６０は、レンズ駆動装置１０の側面で露出し、その側面部を構成している。
【００４０】
また、レンズ駆動機構５は、バックヨーク１６の筒状胴部１６０とベース１９との間に挟持された第１の板バネ１３１を備えているとともに、バックヨーク１６の筒状胴部１６０とケース１１との間に挟持された第２の板バネ１３２を備えている。ここで、第１の板バネ１３１は、その内側の弾性変形部に小穴１３６が形成されている一方、スリーブ１５の撮像素子側端部には、小穴１３６に嵌る小突起１５１が形成されており、第１の板バネ１３１は、弾性変形部がスリーブ１５の撮像素子側端部に連結して移動レンズ体３を光軸方向に付勢可能である。また、第１の板バネ１３１は、スリーブ１５の回転を阻止する機能を担っている。
【００４１】
第２の板バネ１３２は、その内側の弾性変形部に小穴１３７が形成されている一方、スリーブ１５の被写体側端部には、小穴１３７に嵌る小突起１５２が形成されており、第２の板バネ１３２は、弾性変形部がスリーブ１５の被写体側端部に連結して移動レンズ体３を光軸方向に付勢可能である。また、第２の板バネ１３２も、スリーブ１５の回転を阻止する機能を担っている。
【００４２】
なお、図４（ａ）に示す状態は、駆動コイル１４に対する通電が行われていない状態であり、移動レンズ体３の撮像素子側端部がベース１９の上面（ストッパ部）に当接した状態にある、かかる移動レンズ体３の位置が原点位置である。
【００４３】
このように構成したレンズ駆動装置１０を光軸方向からみたとき、バックヨーク１６の筒状胴部１６０は、二点鎖線で示す四角形５０の角部５１、５２、５３、５４を面取りした形状を備えている。また、ベース１９およびケース１１も四角形の角部を面取りした形状を備え、かつ、サイズはバックヨーク１６の筒状胴部１６０と同一である。従って、バックヨーク１６の筒状胴部１６０、ベース１９およびケース１１の外周形状がレンズ駆動装置１０の外周形状を規定している。
【００４４】
また、移動レンズ体３では、スリーブ１５が円筒体であるため、駆動コイル１４は円環状に巻回されている。これに対して、バックヨーク１６の筒状胴部１６０の内周形状は、駆動コイル１４の外周形状と相違し、非円形（本形態では、多角形）である。このため、駆動コイル１４の外周面と、バックヨーク１６の筒状胴部１６０の内周面との間には、四角形５０の辺に相当する領域で幅が狭く、四角形の角５１、５２、５３、５４に相当する領域で幅が広くなっている。
【００４５】
そこで、本形態では、４つのマグネット１７をバックヨーク１６の筒状胴部１６０の角部５１、５２、５３、５４の各々に離間して配置してある。また、４つのマグネット１７はいずれも、平面的には、内面が駆動コイル１４の外周形状に沿う円弧形状を有する一方、外面は、筒状胴部１６０の角部５１、５２、５３、５４の内周面に沿った形状を有している。
【００４６】
（動作）
このように構成したレンズ駆動装置１０において、４つのマグネット１７はいずれも、内外方向で異なる極に着磁されており、バックヨーク１６を介して駆動コイル１４に鎖交磁界を形成する。従って、駆動コイル１４に対して通電すると、移動レンズ体３は、図２および図３（ｂ）および図４（ａ）に矢印Ａで示すように、被写体側に向かう推力（電磁力）を受け、図４（ｂ）に示すように、被写体側に移動する。その際、第１の板バネ１３１および第２の板バネ１３２は、被写体側に撓むので、移動レンズ体３を原点位置に戻そうという付勢力を発揮する。従って、移動レンズ体３に作用する電磁力と、第１の板バネ１３１および第２の板バネ１３２による付勢力とが釣り合った位置で移動レンズ体３が停止する。
【００４７】
この状態から、駆動コイル１４に対する通電を停止すると、図２および図３（ｂ）および図４（ｂ）に矢印Ｂで示すように、移動レンズ体３は、第１の板バネ１３１および第２の板バネ１３２の付勢力によって原点位置に戻る。その際、駆動コイル１４に対しては、移動レンズ体３を被写体側に駆動した際とは逆向きの通電を行ってもよい。
【００４８】
（本形態の主な効果）
以上説明したように、本形態のレンズ駆動装置１０では、光軸方向からみたとき、駆動コイル１４の外周形状が円形であるのに対して、バックヨーク１６の筒状胴部１６０は、四角形５０の角部を面取りした形状を有しているため、駆動コイル１４の外周面と、バックヨーク１６の筒状胴部１６０の内周面との間には、四角形５０の辺に相当する領域で幅が狭く、四角形５０の角部５１、５２、５３、５４に相当する領域で幅が広くなっている。かかる構造に対応して、本形態では、４つのマグネット１７をバックヨーク１６の筒状胴部１６０の角部５１、５２、５３、５４の各々において、バックヨーク１６の筒状胴部１６０の内周面に沿うように配置してあるため、バックヨーク１６の筒状胴部１６０の内周面と駆動コイル１４の外周面との間をマグネット１７の配置スペースとして有効利用でき、デッドスペースを縮小できる。また、バックヨーク１６の筒状胴部１６０の内周面と駆動コイル１４の外周面との間にマグネット１７を効率よく充填できるので、マグネット１７として体積の大きなものを用いることができる分、駆動コイル１４に鎖交する磁界を効率よく形成することができる。それ故、駆動効率や、その他、電流利用効率や省エネ効率を向上することができる。
【００４９】
［実施の形態２］
図５（ａ）、（ｂ）、（ｃ）は、本発明の実施の形態２に係るレンズ駆動装置のレンズ駆動機構に用いた磁気回路の平面図、縦断面図、およびマグネットの説明図である。なお、本形態２および後述する実施の形態３〜８は、基本的な構成が実施の形態１と同様であるため、共通する部分には同一の符号を付してそれらの説明を省略する。
【００５０】
図５（ａ）、（ｂ）に示すように、本形態でも、実施の形態１と同様、レンズ駆動機構５は、スリーブ１５の外周面に直接、巻回された円環状の駆動コイル１４と、駆動コイル１４に鎖交磁界を発生させる鎖交磁界発生体４とを備え、駆動コイル１４および鎖交磁界発生体４により磁気回路が構成されている。鎖交磁界発生体４は、駆動コイル１４の外周側に配置されたマグネット１７と、鋼板などの強磁性板からなるバックヨーク１６とを備えている。バックヨーク１６は、駆動コイル１４の周りを囲む筒状胴部１６０（カバー部）を備えており、その内周面にマグネット１７が固定されている。
【００５１】
バックヨーク１６の筒状胴部１６０は、実施の形態１と同様、四角形の角部５１、５２、５３、５４を面取りした形状を備えている。これに対して、移動レンズ体３は円筒体であるため、駆動コイル１４は円環状に巻回されている。このため、駆動コイル１４の外周面と、バックヨーク１６の筒状胴部１６０の内周面との間には、四角形の辺に相当する領域で幅が狭く、四角形の角部５１、５２、５３、５４に相当する領域で幅が広くなっている。それ故、本形態でも、４つのマグネット１７をバックヨーク１６の筒状胴部１６０の角部５１、５２、５３、５４の各々に離間して配置してある。また、４つのマグネット１７はいずれも、平面的には、内面が駆動コイル１４の外周形状に沿う円弧形状を有する一方、外面は、バックヨーク１６の筒状胴部１６０の内周面に沿った形状を有している。
【００５２】
ここで、４つのマグネット１７はいずれも、光軸方向で異なる極に着磁された２つのマグネット片１７０を備え、２つのマグネット片１７０は、同極が接するように光軸方向に重ねて配置されている。例えば、２つのマグネット片１７０は、Ｎ極が接するように光軸方向に重ねて配置されている。
【００５３】
このように構成したレンズ駆動装置１０では、実施の形態１と同様、４つのマグネット１７をバックヨーク１６の筒状胴部１６０の角部５１、５２、５３、５４の各々において、バックヨーク１６の筒状胴部１６０の内周面に沿うように配置してあるため、バックヨーク１６の筒状胴部１６０の内周面と駆動コイル１４の外周面との間をマグネット１７の配置スペースとして有効利用でき、デッドスペースを縮小できる。
【００５４】
また、４つのマグネット１７はいずれも、光軸方向で異なる極に着磁された２つのマグネット片１７０を備え、２つのマグネット片１７０は、同極が接するように光軸方向に重ねて配置されている。このため、２つのマグネット片１７０の重なり部分付近では磁力線が高密度に発生するので、駆動コイル１４に鎖交する磁界を効率よく形成することができる。
【００５５】
［実施の形態３］
図６（ａ）、（ｂ）、（ｃ）は、本発明の実施の形態３に係るレンズ駆動装置のレンズ駆動機構に用いた磁気回路の平面図、縦断面図、およびマグネットの説明図である。
【００５６】
図６（ａ）、（ｂ）に示すように、本形態でも、実施の形態１と同様、レンズ駆動機構５は、スリーブ１５の外周面に直接、巻回された円環状の駆動コイル１４と、駆動コイル１４に鎖交磁界を発生させる鎖交磁界発生体４とを備え、駆動コイル１４および鎖交磁界発生体４により磁気回路が構成されている。鎖交磁界発生体４は、駆動コイル１４の外周側に配置されたマグネット１７と、鋼板などの強磁性板からなるバックヨーク１６とを備えている。バックヨーク１６は、駆動コイル１４の周りを囲む筒状胴部１６０（カバー部）を備えており、その内周面にマグネット１７が固定されている。
【００５７】
バックヨーク１６の筒状胴部１６０は、四角形の角部５１、５２、５３、５４を面取りした形状を備えている。これに対して、移動レンズ体３は円筒体であるため、駆動コイル１４は円環状に巻回されている。このため、駆動コイル１４の外周面と、バックヨーク１６の筒状胴部１６０の内周面との間には、四角形の辺に相当する領域で幅が狭く、四角形の角部５１、５２、５３、５４に相当する領域で幅が広くなっている。それ故、本形態でも、４つのマグネット１７をバックヨーク１６の筒状胴部１６０の角部５１、５２、５３、５４の各々に離間して配置してある。また、４つのマグネット１７はいずれも、平面的には、内面が駆動コイル１４の外周形状に沿う円弧形状を有する一方、外面は、バックヨーク１６の筒状胴部１６０の内周面に沿った形状を有している。
【００５８】
ここで、４つのマグネット１７はいずれも、内外方向で異なる極に着磁されている。また、バックヨーク１６は、筒状胴部１６０の下端部から、マグネット１７が配置された周方向の４箇所で移動レンズ体３の下方を通ってその内側位置まで延びた内ヨーク部１６１を備えており、内ヨーク部１６１は、駆動コイル１４を間に挟んでマグネット１７と対向している。具体的には、例えば、レンズホルダ１２とスリーブ１５とを半径方向に離間して配置するとともに、レンズホルダ１２およびスリーブ１５の上端部同士を連結し、レンズホルダ１２とスリーブ１５との間まで内ヨーク部１６１を延ばす。また、レンズホルダ１２に切り欠きを形成しておき、この切り欠き内に内ヨーク部１６１を延ばしてもよい。
【００５９】
このように構成したレンズ駆動装置１０では、実施の形態１と同様、４つのマグネット１７をバックヨーク１６の筒状胴部１６０の角部５１、５２、５３、５４の各々において、バックヨーク１６の筒状胴部１６０の内周面に沿うように配置してあるため、バックヨーク１６の筒状胴部１６０の内周面と駆動コイル１４の外周面との間をマグネット１７の配置スペースとして有効利用でき、デッドスペースを縮小できる。
【００６０】
また、バックヨーク１６は、駆動コイル１４の内側位置まで延びた内ヨーク部１６１を備えているため、駆動コイル１４に鎖交する磁界を効率よく形成することができる。
【００６１】
［実施の形態４］
図７（ａ）、（ｂ）、（ｃ）は、本発明の実施の形態４に係るレンズ駆動装置のレンズ駆動機構に用いた磁気回路の平面図、縦断面図、およびマグネットの説明図である。
【００６２】
図７（ａ）、（ｂ）に示すように、本形態でも、実施の形態１と同様、レンズ駆動機構５は、移動レンズ体３の外周面に直接、巻回された駆動コイル１４と、駆動コイル１４に鎖交磁界を発生させる鎖交磁界発生体４とを備え、駆動コイル１４および鎖交磁界発生体４により磁気回路が構成されている。鎖交磁界発生体４は、駆動コイル１４の外周側に配置されたマグネット１７と、鋼板などの強磁性板からなるバックヨーク１６とを備えている。バックヨーク１６は、駆動コイル１４の周りを囲む筒状胴部１６０（カバー部）を備えており、その内周面にマグネット１７が固定されている。
【００６３】
ここで、移動レンズ体３は、四角形の角部５１、５２、５３、５４を面取りした形状を備えているため、駆動コイル１４も、四角形の角部５１、５２、５３、５４を面取りした形状を備えている。これに対して、バックヨーク１６の筒状胴部１６０も、四角形の角部５１、５２、５３、５４を面取りした形状を備えているが、駆動コイル１４の外周面と、バックヨーク１６の筒状胴部１６０の内周面との間には、四角形の辺に相当する領域で幅が狭く、四角形の角部５１、５２、５３、５４に相当する領域で幅が広くなっている。それ故、本形態でも、４つのマグネット１７をバックヨーク１６の筒状胴部１６０の角部分の各々に離間して配置してある。
【００６４】
４つのマグネット１７はいずれも、実施の形態１〜３と同様、外面は、バックヨーク１６の筒状胴部１６０の内周面に沿った形状を有しているが、本形態では、駆動コイル１４の光軸方向に位置している。また、本形態では、バックヨーク１６（筒状胴部１６０）とは別体の内ヨーク１６２を備えており、かかる内ヨーク１６２は、マグネット１７の内面に固定され、その端部が駆動コイル１４を間に挟んでバックヨーク１６（筒状胴部１６０）と対向している。
【００６５】
このように構成したレンズ駆動装置１０では、駆動コイル１４の外周形状とバックヨーク１６の筒状胴部１６０の内周形状とは略同一であるが、駆動コイル１４の外周面とバックヨーク１６の筒状胴部１６０の内周面との間のうち、幅が広い領域（四角形の角に相当する領域）の各々に対して、マグネット１７をバックヨーク１６の筒状胴部１６０の内周面に沿うように配置してある。このため、バックヨーク１６の筒状胴部１６０の内周面と駆動コイル１４の外周面との間をマグネット１７の配置スペースとして有効利用でき、デッドスペースを縮小できる。
【００６６】
［実施の形態５］
図８（ａ）、（ｂ）、（ｃ）は、本発明の実施の形態５に係るレンズ駆動装置のレンズ駆動機構に用いた磁気回路の平面図、縦断面図、およびコイルヨークの説明図である。
【００６７】
図８（ａ）、（ｂ）、（ｃ）に示すように、本形態でも、実施の形態１と同様、レンズ駆動機構５は、移動レンズ体３の外周面に直接、巻回された駆動コイル１４と、駆動コイル１４に鎖交磁界を発生させる鎖交磁界発生体４とを備え、駆動コイル１４および鎖交磁界発生体４により磁気回路が構成されている。鎖交磁界発生体４は、駆動コイル１４の外周側に配置されたマグネット１７と、鋼板などの強磁性板からなるバックヨーク１６とを備えている。バックヨーク１６は、駆動コイル１４の周りを囲む筒状胴部１６０（カバー部）を備えており、その内周面にマグネット１７が固定されている。
【００６８】
ここで、移動レンズ体３は、四角形の角部５１、５２、５３、５４を面取りした形状を備えているため、駆動コイル１４も、四角形の角部５１、５２、５３、５４を面取りした形状を備えている。これに対して、バックヨーク１６の筒状胴部１６０も、四角形の角部５１、５２、５３、５４を面取りした形状を備えているが、駆動コイル１４の外周面と、バックヨーク１６の筒状胴部１６０の内周面との間には、四角形の辺に相当する領域で幅が狭く、四角形の角部５１、５２、５３、５４に相当する領域で幅が広くなっている。それ故、本形態でも、４つのマグネット１７をバックヨーク１６の筒状胴部１６０の角部分の各々に離間して配置してある。
【００６９】
４つのマグネット１７はいずれも、実施の形態１〜３と同様、内外方向で異なる極に着磁されており、バックヨーク１６を介して駆動コイル１４に鎖交磁界を形成する。また、本形態では、駆動コイル１４に対してマグネット１７が配置されている側とは反対側（内周側）には、コイルヨーク１６５が配置されている。このため、マグネット片１７０から出た磁力線を駆動コイル１４と鎖交するように効率よく導くことができるので、鎖交磁束密度が高い。それ故、移動レンズ体３に対して大きな推力を付与することができる。
【００７０】
［実施の形態６］
図９（ａ）、（ｂ）、（ｃ）、（ｄ）は、本発明の実施の形態６に係るレンズ駆動装置のレンズ駆動機構に用いた磁気回路の平面図、縦断面図、マグネットの説明図、およびその変形例の説明図である。
【００７１】
図９（ａ）、（ｂ）、（ｃ）に示すように、本形態でも、実施の形態１と同様、レンズ駆動機構５は、スリーブ１５の外周面に直接、巻回された円環状の駆動コイル１４と、駆動コイル１４に鎖交磁界を発生させる鎖交磁界発生体４とを備え、駆動コイル１４および鎖交磁界発生体４により磁気回路が構成されている。鎖交磁界発生体４は、駆動コイル１４の外周側に配置されたマグネット１７と、鋼板などの強磁性板からなるバックヨーク１６とを備えている。バックヨーク１６は、駆動コイル１４の周りを囲む筒状胴部１６０（カバー部）を備えており、その内周面にマグネット１７が固定されている。
【００７２】
バックヨーク１６の筒状胴部１６０は、実施の形態１と同様、四角形の角部５１、５２、５３、５４を面取りした形状を備えている。これに対して、移動レンズ体３は円筒体であるため、駆動コイル１４は円環状に巻回されている。このため、駆動コイル１４の外周面と、バックヨーク１６の筒状胴部１６０の内周面との間には、四角形の辺に相当する領域で幅が狭く、四角形の角部５１、５２、５３、５４に相当する領域で幅が広くなっている。それ故、本形態でも、４つのマグネット１７をバックヨーク１６の筒状胴部１６０の角部５１、５２、５３、５４の各々に離間して配置してある。また、４つのマグネット１７はいずれも、平面的には、内面が駆動コイル１４の外周形状に沿う円弧形状を有する一方、外面はバックヨーク１６の筒状胴部１６０の内周面に沿った形状を有している。
【００７３】
本形態では、４つのマグネット１７はいずれも、レンズ光軸Ｘの方向に重ねて配置された２つのマグネット片１７０を備えているとともに、駆動コイル１４は、複数のマグネット片１７０の各々に対向するように２つ配置されている。ここで、２つのマグネット片１７０は、各々が内外方向で異なる極に着磁され、かつ、２つのマグネット片１７０は、内外方向での着磁の向きが逆である。このため、２つのマグネット片１７０のうち、一方のマグネット片１７０は、Ｓ極が駆動コイル１４に向いており、他方のマグネット片１７０は、Ｓ極が駆動コイル１４に向いている。
【００７４】
このように構成した磁気回路では、２つのマグネット片１７０から出た磁力線は、図９（ｃ）に模式的に示すように、マグネット１７の光軸方向における中心側に集中する。また、２つのマグネット片１７０から出た磁力線は狭い領域内で回り込むので、漏れ磁束が少ない。従って、駆動コイル１４と鎖交する磁束密度が高いので、移動レンズ体３に対して大きな推力を付与することができる。
【００７５】
なお、図９（ｂ）、（ｃ）には、２つのマグネット片１７０を用いた例を示してあるが、３つ以上のマグネット片１７０をレンズ光軸Ｘの方向に重ねて配置してもよい。この場合にも、３つ以上のマグネット片１７０は、各々が内外方向で異なる極に着磁し、かつ、レンズ光軸Ｘの方向で隣接するマグネット片１７０同士における内外方向での着磁の向きを逆とすればよい。
【００７６】
また、図９（ｂ）、（ｃ）には２つのマグネット片１７０を用いた例を示してあるが、図９（ｄ）に示すように、１つのマグネット１７０に分極着磁石を施すことにより、図９（ｂ）に示すように磁極を配置してもよい。すなわち、４つのマグネット１７は、レンズ光軸Ｘの方向に並ぶ２つの着磁領域を備えているとともに、駆動コイル１４は、２つの着磁領域の各々に対向するようにレンズ光軸Ｘの方向に２つ配置されている。また、マグネット１７では、２つの着磁領域の各々に内外方向で異なる極が形成され、かつ、レンズ光軸Ｘの方向で隣接する着磁領域同士では、内外方向における着磁の向きが逆になっている。このような構成を採用すれば、１つのマグネット１７でも、駆動コイル１４と鎖交する磁束密度を高めることができるので、移動レンズ体３に対して大きな推力を付与すことができる。
【００７７】
なお、図９（ｃ）に示した構成と、図９（ｄ）に示した構成とを比較すると、図９（ｃ）に示した構成の方が異なる磁極の境界領域に不安定領域が発生しにくいので、駆動コイル１４と鎖交する磁束密度を高めることができるという利点がある。
【００７８】
［実施の形態７］
図１０は、本発明の実施の形態７に係るレンズ駆動装置で用いた付勢部材の説明図である。上記実施の形態１〜６では、駆動コイル１４への通電の有無にかかわらず、移動レンズ体３を光軸方向の所定位置に保持する付勢力を発揮可能な付勢部材として、移動レンズ体３に機械的な付勢力を印加する第１の板バネ１３１および第２の板バネ１３２（バネ部材）を用いたが、図１０に示すように、付勢部材としては、第１の板バネ１３１および第２の板バネ１３２に加えて、移動レンズ体３にボール状、ワイヤ状、棒状の磁性体１３８を取り付けてもよい。このように構成すると、磁性体１３８とマグネット１７との間に作用する磁気的な付勢力を移動レンズ体３に印加することができる。なお、付勢部材として磁性体１３８を用いた場合、第１の板バネ１３１および第２の板バネ１３２のうちの一方、あるいは双方を省略し、磁性体１３８のみで付勢部材を構成してもよい。
【００７９】
［実施の形態８］
図１１（ａ）、（ｂ）は各々、本発明の実施の形態８に係るレンズ駆動装置の外観図、および分解斜視図である。
【００８０】
図１１（ａ）、（ｂ）において、本形態のレンズ駆動装置１０も、実施の形態１と同様、概ね、３枚のレンズ１２１、１２２、１２３および固定絞り１２４を円筒状のレンズホルダ１２上に一体に保持した移動レンズ体３と、この移動レンズ体３をレンズ光軸Ｘに沿って移動させるレンズ駆動機構５と、レンズ駆動機構５および移動レンズ体３が搭載された固定体２とを有している。
【００８１】
本形態において、固定体２は、像側で撮像素子（図示せず）を保持するためのベース１９と、被写体側に位置するケース１１とを備えており、ケース１１の中央には、被写体からの反射光をレンズに取り込むための円形の入射窓１１０が形成されている。また、固定体２は、ベース１９とケース１１との間に挟持されたバックヨーク１６を備えており、バックヨーク１６の筒状胴部１６０は、マグネット１７の周りを囲むカバー部として機能するとともに、マグネット１７とともに、駆動コイル１４に鎖交磁界を発生させる鎖交磁界発生体を構成している。ここで、バックヨーク１６の筒状胴部１６０の撮像素子側端部はベース１９に接着固定され、バックヨーク１６の筒状胴部１６０の被写体側端部は、ケース１１に接着固定されている。
【００８２】
本形態において、固定体２は、ケース１１に対して被写体側に被せられた金属製の薄板状カバー１８を備えており、薄板状カバー１８にも、円形の入射窓１８０が形成されている。また、薄板状カバー１８は、相対する２辺からベース１９に向けて延びた一対の係合脚部１８１を備えており、係合脚部１８１の下端部に形成された穴１８２にベース１９の側面から突出した突起１９２が嵌っている。さらに、係合脚部１８１の下端部と突起１９２とは接着剤によっても固定されている。
【００８３】
このように構成したレンズ駆動装置１０を光軸方向からみたとき、バックヨーク１６の筒状胴部１６０は、四角形の角部を面取りした形状を備えている。また、ベース１９、ケース１１および薄板状カバー１８も、四角形の角部を面取りした形状を備え、かつ、サイズはバックヨーク１６の筒状胴部１６０と同一である。従って、バックヨーク１６の筒状胴部１６０、ベース１９、ケース１１および薄板状カバー１８の外周形状がレンズ駆動装置１０の外周形状を規定している。
【００８４】
また、移動レンズ体３では、スリーブ１５が円筒体であるため、駆動コイル１４は円環状に巻回されている。これに対して、バックヨーク１６の筒状胴部１６０の内周形状は、駆動コイル１４の外周形状と相違し、非円形（本形態では、多角形）である。このため、駆動コイル１４の外周面と、バックヨーク１６の筒状胴部１６０の内周面との間には、四角形の辺に相当する領域で幅が狭く、四角形の角に相当する領域で幅が広くなっている。そこで、本形態では、４つのマグネット１７をバックヨーク１６の筒状胴部１６０の角部の各々に離間して配置してある。また、４つのマグネット１７はいずれも、平面的には、内面が駆動コイル１４の外周形状に沿う円弧形状を有する一方、外面は、筒状胴部１６０の角部の内周面に沿った形状を有している。
【００８５】
本形態では、駆動コイル１４への通電の有無にかかわらず、移動レンズ体３を光軸方向の所定位置に保持する付勢力を発揮可能な付勢部材として、移動レンズ体３と固定体２との間に配置されて、移動レンズ体３に機械的な付勢力を印加する第１の板バネ１３１および第２の板バネ１３２（バネ部材）を備えている。また、本形態では、付勢部材として、移動レンズ体３に保持されたボール状、ワイヤ状、棒状の磁性体１３８が用いられており、この磁性体１３８とマグネット１７との間に作用する磁気的な付勢力を移動レンズ体３に印加する構成になっている。
【００８６】
本形態では、移動レンズ体３に磁性体１３８を保持させるにあたって、移動レンズ体３の上端面には、筒状胴部１６０の４つの角部に相当する各位置に複数の磁性体１３８を収納可能な凹部１５８が形成されている。また、上ケース１１には、４つの凹部１５８のうち、対角に位置する２つの凹部１５８の上方を開放状態とする切り欠き１１８が形成されている。
【００８７】
このようなレンズ駆動装置１を製造する際には、まず、上ケース１１を被せる前に４つの凹部１５８の各々の内部に磁性体１３８を１つずつ装着した後、接着固定し、次に上ケース１１を被せる。この状態で、移動レンズ体３の駆動状態や傾きを検査し、その検査結果に基づいて、上ケース１１の切り欠き１１８から、対角に位置する２つの凹部１５８に対して磁性体１３８を追加した後、接着固定し、移動レンズ体３の駆動状態や傾きを調整する。そして、かかる調整を終えた後、薄板状カバー１８を被せれば、凹部１３８を覆うことができる。また、薄板状カバー１８によって、上ケース１１の上方で露出する隙間を覆えば、レンズ駆動装置１に異物が侵入することを防止でき、レンズ駆動装置１の信頼性を高めることができる。
【００８８】
なお、本形態では、薄板状カバー１８の係合脚部１８１をベース１９に係合させるにあたって、係合脚部１８１の下端部に形成された穴１８２を形成し、ベース１９の側面に突起１９２を形成したが、係合脚部１８１の下端側を内側に突出させ、ベース１９の側面に形成した凹部に係合脚部１８１の下端側を嵌める構造を採用してもよい。また、係合脚部１８１の下端側を内側に突出させ、ベース１９の側面に形成した溝に係合脚部１８１の下端側をスライドさせて嵌める構造を採用してもよい。
【００８９】
［その他の実施の形態］
上記実施の形態１〜８では、バックヨーク１６の筒状胴部１６０は、四角形の角部５１、５２、５３、５４を面取りした形状と見なしたが、バックヨーク１６の筒状胴部１６０を八角形とみなしてもよい。この場合には、マグネット１７は各々、バックヨーク１６の筒状胴部１６０の角部分のうち、２つの角部分を含む位置に配置されているため、バックヨーク１６の筒状胴部１６０の内周面と駆動コイル１４の外周面との間をマグネット１７の配置スペースとして有効利用でき、デッドスペースを縮小できる。
【００９０】
また、上記実施の形態１〜８では、移動レンズ体３が円筒形状で、バックヨーク１６の筒状胴部１６０の形状（レンズ駆動装置１０の形状）が多角形である例を説明したが、移動レンズ体３が略角筒形状で、バックヨーク１６の筒状胴部１６０の形状（レンズ駆動装置１０の形状）が円形の場合にも、駆動コイル１４の外周面とバックヨーク１６の筒状胴部１６０の内周面との間には幅の狭い領域と、幅が広い領域とが形成される。このような場合にも、幅が広い領域で、マグネット１７をバックヨーク１６の筒状胴部１６０の内周面に沿うように配置すれば、バックヨーク１６の筒状胴部１６０の内周面と駆動コイル１４の外周面との間をマグネット１７の配置スペースとして有効利用でき、デッドスペースを縮小できる。
【００９１】
さらに、上記形態１〜４では、バックヨーク１６の筒状胴部１６０によってカバー部が構成されている例であったが、ベース１９やケース１１に形成された筒状胴部によってカバー部が形成されている場合に本発明を適用してもよい。
【図面の簡単な説明】
【００９２】
【図１】（ａ）、（ｂ）は各々、本発明の実施の形態１に係るレンズ駆動装置の外観図、および分解斜視図である。
【図２】図１に示すレンズ駆動装置をレンズ光軸に沿って切断したときの断面図である。
【図３】（ａ）、（ｂ）、（ｃ）は、図１に示すレンズ駆動装置のレンズ駆動機構に用いた磁気回路の平面図、縦断面図およびマグネットの説明図である。
【図４】図１に示すレンズ駆動装置でのレンズ駆動動作を示す説明図である。
【図５】（ａ）、（ｂ）、（ｃ）は、本発明の実施の形態２に係るレンズ駆動装置のレンズ駆動機構に用いた磁気回路の平面図、縦断面図およびマグネットの説明図である。
【図６】（ａ）、（ｂ）、（ｃ）は、本発明の実施の形態３に係るレンズ駆動装置のレンズ駆動機構に用いた磁気回路の平面図、縦断面図およびマグネットの説明図である。
【図７】（ａ）、（ｂ）、（ｃ）は、本発明の実施の形態４に係るレンズ駆動装置のレンズ駆動機構に用いた磁気回路の平面図、縦断面図およびマグネットの説明図である。
【図８】（ａ）、（ｂ）、（ｃ）は、本発明の実施の形態５に係るレンズ駆動装置のレンズ駆動機構に用いた磁気回路の平面図、縦断面図およびコイルヨークの説明図である。
【図９】（ａ）、（ｂ）、（ｃ）、（ｄ）は、本発明の実施の形態６に係るレンズ駆動装置のレンズ駆動機構に用いた磁気回路の平面図、縦断面図、マグネットおよびその変形例の説明図である。
【図１０】本発明の実施の形態７に係るレンズ駆動装置で用いた付勢部材の説明図である。
【図１１】（ａ）、（ｂ）は各々、本発明の実施の形態８に係るレンズ駆動装置の外観図、および分解斜視図である。
【符号の説明】
【００９３】
１  レンズ駆動装置
２  固定体
３  移動レンズ体
４  鎖交磁界発生体
５  レンズ駆動機構
１１  ケース
１２  レンズホルダ
１４  駆動コイル
１５  スリーブ
１６  バックヨーク
１７  マグネット
１８  薄板状カバー
１９  ベース
１３１、１３２  板バネ（付勢部材）
１３８  磁性体（付勢部材）
１６０  バックヨークの筒状胴部（カバー部）
１６１  内ヨーク部
１６２  内ヨーク
１６５  コイルヨーク
１７０  マグネット片
１８１  係合脚部
【図１】
2008058659.tif 000003
【図２】
2008058659.tif 000004
【図３】
2008058659.tif 000005
【図４】
2008058659.tif 000006
【図５】
2008058659.tif 000007
【図６】
2008058659.tif 000008
【図７】
2008058659.tif 000009
【図８】
2008058659.tif 000010
【図９】
2008058659.tif 000011
【図１０】
2008058659.tif 000012
【図１１】
2008058659.tif 000013